(57)【要約】【課題】従来の特許文献１の様な洗瓶可能なラベルでは、情報はラベルの表面にのみ印刷等で表示していたのみであったので、剥離部を応募券として所定枚数集めて郵便等で送付する抽選方法しか対応できず、運営経費の安いインターネット応募などに利用することはできなかったが、ことが可能な洗瓶可能なラベルを提供することを目的とする。【解決手段】一部に分離可能領域を設けたアルカリ溶液で剥離可能なラベルにおいて、前記分離可能領域の裏面に、耐水性を有し、アルカリ可溶な被覆層を設け、前記被覆層上に印字を設けたことを特徴とする洗瓶可能なラベルを提供する。【選択図】    図１
2006234876.tif 000002
【特許請求の範囲】
【請求項１】
一部に分離可能領域を設けたアルカリ溶液で剥離可能なラベルにおいて、前記分離可能領域の裏面に、耐水性を有し、アルカリ可溶な被覆層を設け、前記被覆層上に印字を設けたことを特徴とする洗瓶可能なラベル。
【請求項２】
前記被覆層が、アミノアルキッド樹脂、ニトロセルロース樹脂のうち１種もしくは２種以上を主成分とした被覆剤を用いたことを特徴とする請求項１の洗瓶可能なラベル。
【請求項３】
前記分離可能領域の裏面に印字をともなって設けた被覆層上に、さらに剥離剤層を設けたことを特徴とする請求項１ないし請求項２のいずれか１項記載の洗瓶可能なラベル。
【請求項４】
前記印字がインクジェット印字であることを特徴とする請求項１ないし請求項３のいずれか１項記載の洗瓶可能なラベル。
【発明の詳細な説明】
【技術分野】
【０００１】
本発明は、ビール瓶等に用いるアルカリ溶液で分離可能なラベルに関し、その一部に応募券や懸賞等の分離可能領域を設けた洗瓶可能なラベルに関する。
【背景技術】
【０００２】
ビール瓶等の瓶は、内容物を使用後、瓶を洗浄して再利用するため、予め貼着したラベルを、洗浄時のアルカリ溶液により分離できるように、ラベルに工夫を施している。例えば、特許文献２に示されるように、１〜４％のアルカリ溶液で溶解でき、しかも冷蔵庫等に保管している時に発生する水滴により、ラベルの剥離等の現象が発生しない構成としている。
【０００３】
一方、商品の販売促進のため、応募券等を一体的に容器に設けることが提案され、缶の場合は、その胴部の表面に粘着ラベルからなる応募券を単独で貼着することにより行うことが可能である。しかし、瓶の場合、前述のように瓶を洗浄して再利用するため、缶のように粘着ラベルを用いると、アルカリ溶液で洗浄しても剥離、分離することはでぎず、従来から使用されている表示用ラベルのように洗瓶時に剥離できる構成の素材を応募券や懸賞等に利用しなければならなかった。
【０００４】
そこで、表示用ラベルの一部を分離可能として、応募券等に使用することが提案され、この場合、例えば、特許文献２の構成のラベルに分離可能領域を設け、この領域を応募券や懸賞とすることが考えられる。しかし、アルカリ溶液で洗瓶が可能なラベルの、裏面全体にでんぷん糊を塗布して、瓶に札貼した場合、分離可能領域の応募券や懸賞を切離し分離すること不可能である。
【０００５】
また、分離可能領域の応募券の裏面の部分だけ、でんぷん糊を塗布しない構成とすることにより、応募券や懸賞の切離し分離は可能であるが、応募券や懸賞の部分の耐水性が不足し、冷蔵庫等で発生する水滴により、剛性が低下し、切離し分離が困難となってしまう問題がある。
【０００６】
そこで、特許文献１の様な一部に分離可能領域を設けたアルカリ溶液で剥離可能なラベルにおいて、前記分離可能領域の裏面に、耐水性を有し, アルカリ可溶な被覆層設けたことを特徴とする、洗瓶可能なラベルが考えられていた。
【０００７】
なお、特許文献１には、前記被覆層が、アミノアルキッド樹脂、アミノアルキッド変性フェノール樹脂、ニトロセルロース樹脂、アクリ系樹脂のいずれか１種を主成分とした被覆剤を用いたことを特徴とする洗瓶可能なラベル、前記分離可能領域の裏面に設けた被覆層上に、さらに剥離剤層を設けたことを特徴とする、洗瓶可能なラベル、前記剥離剤層が、シリコーン、レシチンのいずれか１種からなることを特徴とする、洗瓶可能なラベル、金属蒸着層を有する構成としたことを特徴とする洗瓶可能なラベルが提案されていた。
【０００８】
特許文献は以下の通りである。
【特許文献１】特開平１１−２８２３５５号公報
【特許文献２】実公平５−８６１５号公報
【発明の開示】
【発明が解決しようとする課題】
【０００９】
従来の特許文献１の様な洗瓶可能なラベルでは、情報はラベルの表面にのみ印刷等で表示していたのみであったので、剥離部を応募券として所定枚数集めて郵便等で送付する抽選方法しか対応できず、運営経費の安いインターネット応募などに利用することはできなかったという問題がある。
【課題を解決するための手段】
【００１０】
本発明は上記課題を解決するためのもので、本発明は、一部に分離可能領域を設けたアルカリ溶液で剥離可能なラベルにおいて、前記分離可能領域の裏面に、耐水性を有し、アルカリ可溶な被覆層を設け、前記被覆層上に印字を設けたことを特徴とする洗瓶可能なラベルである。
【００１１】
請求項２に記載の発明は、前記被覆層が、アミノアルキッド樹脂、ニトロセルロース樹脂のうち１種もしくは２種以上を主成分とした被覆剤を用いたことを特徴とする請求項１の洗瓶可能なラベルである。
【００１２】
請求項３に記載の発明は、前記分離可能領域の裏面に印字をともなって設けた被覆層上に、さらに剥離剤層を設けたことを特徴とする請求項１ないし請求項２のいずれか１項記載の洗瓶可能なラベルである。
【００１３】
請求項４に記載の発明は、前記印字がインクジェット印字であることを特徴とする請求項１ないし請求項３のいずれか１項記載の洗瓶可能なラベルである。
【発明の効果】
【００１４】
本発明は、洗瓶時にアルカリ溶液で剥離可能な構成のラベルの一部に設けた分離可能領域の裏面に被覆層を設けた場合、分離可能領域の裏面を除いてでんぷん糊を塗布することで、瓶に札貼することにより、ラベルを瓶に貼ったままの状態で切り離すことができ、従来のラベルの一部を応募券等に利用することができる。また、前記ラベルの分離可能領域の裏面の被覆層上に、さらに剥離剤層を設けることにより、分離可能領域部分が切離し可能となり、前述と同様、従来のラベルの一部を応募券等に利用することができる。
【発明を実施するための最良の形態】
【００１５】
図１は、本発明のラベルの一例を示す平面図、図２は、図１のＡ−Ａからの断面を示す断面図である。ラベル１の上辺の２か所に切欠２、２を設け、この切欠２、２をコの字状に結ぶ切離し線３を設け、分離可能領域４を形成したもので、その積層構成は、以下の通りである。
【００１６】
なお、原紙１０上に印刷適性、光沢性を持たせるためにクレーコート層１１を設けるのが好ましく、この場合はこのクレーコート層１１上に、プレコート層１２、アルミニウム蒸着層１３、プライマー層１４、印刷層１５、およびオーバーコート層１６、を順次設けた構成で、かつ分離可能領域４の原紙１０の裏面には、前記プライマー層１２と同種の被覆剤からなる被覆層１７を形成し、その表面に印字層１８てなる。
【００１７】
ここで、原紙１０は、坪量４０−１００ｇ／ｍ2が札貼適性の点で好ましく、寸法安定性から純白ロールベースが好ましい。
【００１８】
なお、水に浸漬した時の水中伸度２．５％以下、特に１．５％以下であることが必要で、これ以上の水中伸度の原紙を用いた場合、水滴等が付着すると、蒸着層、印刷層、およびオーバーコート層に亀裂等が発生し、外観が低下する。
【００１９】
プレコート層１２を設ける場合は、アミノアルキッド樹脂、アミノアルキッド変性フェノール樹脂、ニトロセルロース樹脂、アクリ系樹脂のいずれか１種を主成分とするプレコート剤で、具体的には、ニトロセルロース系樹脂の場合、フタル酸エステル、アジピン酸エステル、セバシン酸エステル等の脂肪酸エステルを２０〜５０重量％の範囲で混合してなり、また、アミノアルキッド樹脂の場合、マレイン酸を５〜１０重量％の範囲で混合してなるものが好ましい。これは、ラベルの耐水性を持たせるため、またその上に蒸着層を積層する場合の光沢性を持たせるために積層されるもので。一般的にはグラビアコートで積層するが、他の積層方法でも形成できれば構わない。また、この層はアルカリ洗浄時に膨潤し、紙から容易に剥離する作用を持つ。
【００２０】
アルミニウム蒸着層１３は、必須ではないが一般的には意匠性向上のために設けられることが多く、２５〜９０ｎｍの範囲で形成し、印刷層１５を設けるためのプライマー層１４は蒸着層１３と印刷層１５との接着性を高めるために設けられることが多く、アルカリ可溶性の樹脂で、具体的にはシェラック樹脂、ニトロセルロース樹脂を用いた材料が好ましい。
【００２１】
印刷層１５は、懸賞等の各種情報を明記するために積層されるもので、グラビア印刷等の各種印刷により設けられる。ニトロセルロース系樹脂、ポリアミド系樹脂またはこれらの混合樹脂をビヒクルとしたインキが好ましい。
【００２２】
さらに、オーバーコート層１６は、印刷層１５の耐摩擦性を持たせるために設けられる場合が多く、前記印刷層１５のビヒクルとして用いた樹脂からなるコート剤を用いる。
【００２３】
被覆層１７は、アミノアルキッド樹脂、ニトロセルロース樹脂のいずれか１種を主成分とし、具体的には、ニトロセルロース系樹脂の場合、フタル酸エステル、アジピン酸エステル、セバシン酸エステル等の脂肪酸エステルを２０〜５０重量％の範囲で混合してなる。また、アミノアルキッド樹脂の場合、マレイン酸を５〜１０重量％の範囲で混合してなる被覆剤を塗布して設ける。
【００２４】
印字１８は、文字、数字、バーコード、二次元コードなど各種の印字が可能であり、個別の洗瓶ラベルごとに違っているのが好ましいので、インクジェットでシリアルナンバーを印刷したり、秘密コード等を印刷したりする。
【００２５】
この場合、別途印刷層１５等で告知したインターネットホームページや携帯電話ホームページにアクセスし、このシリアルナンバーを用いることで真正な応募であることが確認可能にしたり、重複応募を排除することが可能になる。
【００２６】
上記ラベル１を瓶に札貼する場合、分離可能領域４の裏面の被覆層１７を設けた部分には、でんぷん糊を塗布しないで、その他の部分に塗布して、でんぷん糊で瓶に貼着することにより、瓶に貼ったままで分離可能部分４を切り離すことができ、応募券等として利用することができる。
【００２７】
その他の図３に示すように、図２に示す構成の被覆層１７の下面に、さらに剥離剤層１９を設けた構成としてもよい。この構成とすることにより、原紙１０の裏面全体にでんぷん糊を塗布しても、剥離剤層１９の部分には、でんぷん糊が残らないので、瓶に貼ったままで分離可能部分４を切り離すことができるので、応募券等に利用することができる。ここで、剥離層１９に用いる剥離剤は、各種あるが、レシチン、シリコーン樹脂等が適当である。
【００２８】
また、前記のラベルは、アルミニウム蒸着層１３を有する積層構成について説明した。
このアルミニウム蒸着層１３を設けない構成でもよいことは勿論であり、この場合は、プレコート層１２は不必要となる。
【産業上の利用可能性】
【００２９】
本発明は、ビール瓶等に用いるアルカリ溶液で分離可能なラベルに関し、その１部に応募券等の分離可能領域を設けた洗瓶可能なラベルに関する。
【図面の簡単な説明】
【００３０】
【図１】は、本発明のラベルの一例を示す説明図である。
【図２】は、図１のＡ−Ａからの状態を示す断面図である。
【図３】は、他のラベルの構成を示す断面図である。
【符号の説明】
【００３１】
１・・・ラベル
２・・・切欠
３・・・切離し線
４・・・分離可能領域
１０・・・原紙
１１・・・クレーコート層
１２・・・プレコート層
１３・・・アルミニウム蒸着層
１４・・・プライマー層
１５・・・印刷層
１６・・・オーバーコート層
１７・・・被覆層
１８・・・印字
１９・・・剥離剤層
【図１】
2006234876.tif 000003
【図２】
2006234876.tif 000004
【図３】
2006234876.tif 000005